(57)【要約】  干渉源を動的に特定すること、および、干渉信号の制御された減衰を介して干渉の分配を防止することによって、構内通信無線システム内で干渉成分を検出し、減少させる装置およびその装置に対応する方法に関する。この装置および方法は、随意で、干渉成分を搬送する信号を生成しているアンテナをオフに切り替えること（３９）または減衰させること（３８）によって、潜在的な干渉源を動的に制御する（４４）。さらに、提示の装置および方法は、干渉が減少した場合、オフに切り替えたアンテナの再接続（３９）、および、信号強度の制御された回復（４４）のうちの１つ以上において動作する。
2007519267.tif 000002
【特許請求の範囲】
【請求項１】
建造物の内部空間内に配置される構内通信無線分配システム内に配備される装置であって、
外部アンテナおよび双方向増幅器を備える無線基地局またはリピータ・デバイスと、
構内無線ネットワーク内の干渉を検出し、かつ、減少させるための中央制御ユニットと、
内部に設置された１つ以上のアンテナ・デバイスの減衰を制御するための１つ以上のアンテナ減衰制御ユニットと、
該１つ以上のアンテナ減衰制御ユニットは中央制御ユニットに関連することと、
構内エア・インターフェース信号を介して送受信するための、内部に設置された１つ以上のアンテナ・デバイスと、
内部に設置された該１つ以上のアンテナ・デバイスは該１つ以上のアンテナ減衰制御ユニットに関連することと、からなる装置。
【請求項２】
リピータ・デバイスは双方向増幅器ミニリピータである請求項１に記載の装置。
【請求項３】
内部に設置された前記１つ以上のアンテナ・デバイスはマルチバンド垂直偏波構内全方向アンテナである請求項１に記載の装置。
【請求項４】
前記１つ以上のアンテナ減衰制御ユニットに関連する内部に設置された前記１つ以上のアンテナ・デバイスの放送を強化するための、前記１つ以上のアンテナ減衰制御ユニットに接続されている１つ以上のリピータを含む請求項１に記載の装置。
【請求項５】
中央制御ユニットは干渉の検出のために１つ以上のアップリンク信号をサンプリングすることにより干渉源のアンテナを検出する請求項１に記載の装置。
【請求項６】
関連するアンテナから受信される信号強度を減衰させるよう前記１つ以上のアンテナ減衰制御ユニットに指令することにより検出が達成される請求項１に記載の装置。
【請求項７】
中央制御ユニットは所定の干渉閾値未満の値まで干渉のレベルを減少させるために前記１つ以上のアップリンク信号を再サンプリングすることにより干渉を低減または除去する請求項１に記載の装置。
【請求項８】
中央制御ユニットは内部に設置された関連する１つ以上のアンテナ・デバイスを切断するか、または、内部に設置された関連する１つ以上のアンテナ・デバイスの送信のレベルを低下させるように前記１つ以上のアンテナ減衰制御ユニットに指令することにより干渉を低減または除去する請求項１に記載の装置。
【請求項９】
中央制御ユニットは転送される信号に干渉することなくカプラ・デバイスにより信号をサンプリングすることによって、送信周波数の阻止または無線信号でない干渉信号を識別する請求項１に記載の装置。
【請求項１０】
中央制御ユニットは信号をサンプリングし、干渉を生成する非無線信号を識別する請求項１に記載の装置。
【請求項１１】
中央制御ユニットは内部に設置された前記１つ以上のアンテナ・デバイスを切断するまたは減衰させるために前記１つ以上のアンテナ減衰制御ユニットに１つ以上の指令信号を発行する請求項１に記載の装置。
【請求項１２】
中央制御ユニットは、検出される干渉が存在するか否か、または、干渉の強度が既定の閾値を超えるか否かを検査するためにアップリンク信号を再サンプリングする請求項１に記載の装置。
【請求項１３】
前記１つ以上のアンテナ減衰制御ユニットは、
信号経路を介する中央制御ユニットからの信号および該信号に埋め込まれている関連する１つ以上の制御指令を受信するため、かつ、該信号のＲＦ成分から電力成分を分離し、該電力成分を電源ユニットへ供給するための、キャパシタおよびチョークを備えるバイアス・ティーまたはＤＣインサータと、
該信号を減衰させることなく該ＲＦ成分をサンプリングするためのカプラと、
該１つ以上の制御指令の周波数範囲を維持しながら該ＲＦ成分の周波数範囲を減衰させるための帯域通過フィルタと、
該１つ以上の制御指令を復号し、該１つ以上の制御指令を利得コントローラへ供給するためのデコーダと、
ＲＦ減衰器の動作を制御するための利得コントローラと、
内部に設置された前記１つ以上のアンテナ・デバイスへ該ＲＦ成分を供給するためのＲＦ減衰器とを含む請求項１に記載の装置。
【請求項１４】
内部に設置された前記１つ以上のアンテナ・デバイスをオンおよびオフに切り替えるためのＲＦスイッチを含む請求項１３に記載の装置。
【請求項１５】
復号された前記１つ以上の制御指令はアンテナをオンまたはオフに切り替えるようにＲＦスイッチに指示するために該ＲＦスイッチへ供給される請求項１３に記載の装置。
【請求項１６】
ＲＦ減衰器は信号を減衰させることまたは信号の強度を増大させることにより利得コントローラの出力に応答する請求項１３に記載の装置。
【請求項１７】
ＲＦ減衰器は可変強度信号をバイアス・ティーへフィードバックし、バイアス・ティーは干渉の検出のための中央制御ユニットによる再サンプリングのためにＲＦ信号を中央制御ユニットへフィードバックする請求項１３に記載の装置。
【請求項１８】
前記１つ以上のアンテナ減衰制御ユニットの構成要素へ電力を供給するための電源ユニットを含む請求項１３に記載の装置。
【請求項１９】
中央制御ユニットは、
前記１つ以上のアンテナ減衰制御ユニットへ送られる信号に電力を挿入するためのバイアス・ティーと、
１つ以上の制御指令の外部アンテナへの伝送を阻止するための周波数選択回路を備える高域通過フィルタと、
信号の劣化または信号強度の減衰なく信号をサンプリングするためのカプラと、
該１つ以上の制御指令を前記１つ以上のアンテナ減衰制御ユニットへ送り、無線信号を帯域通過フィルタへ送るためのスプリッタ・ユニットと、
無線信号をろ過するための周波数選択回路を備える無線帯域通過フィルタと、
干渉を検出するための干渉検出器と、
干渉検出器から出力を受信し、前記１つ以上のアンテナ減衰制御ユニットを有効化するためのアンテナ減衰制御ユニット・コントローラと、
該１つ以上の制御指令を無線信号と結合するために該１つ以上の制御指令をスプリッタ・ユニットへ渡すための周波数選択回路を備える制御帯域通過フィルタとを含む請求項１に記載の装置。
【請求項２０】
電力ネットワークによって電力供給されており、かつ、中央制御ユニットおよび前記１つ以上のアンテナ減衰制御ユニットの動作用の電力を生成する電源を含む請求項１９に記載の装置。
【請求項２１】
アンテナ減衰制御ユニット・コントローラは複数のアンテナまたはリピータに関する干渉を検出するために無線基地局内に設置される請求項１９に記載の装置。
【請求項２２】
アップリンク信号中の干渉の検出のための干渉検出ユニットを含む請求項１に記載の装置。
【請求項２３】
干渉検出ユニットは、
１つ以上の信号を複数の類似の信号に分割するための１つ以上のスプリッタ・ユニットと、
該複数の類似の信号に対してスペクトル解析を実行し、干渉エンベロープを所定の無線信号形態と比較するためのエンベロープ検出器と、
該複数の類似の信号をアナログ形態からディジタル形態へ変換するための１つ以上のコンバータ・ユニットと、
該複数の類似の信号を中間周波数へ変換するダウンコンバータ・ユニットと、
アナログ形態の該複数の類似の信号を処理するディジタル信号プロセッサと、
ディジタル形態の該複数の類似の信号を処理するための、かつ、内部に設置された前記１つ以上のアンテナ・デバイスの減衰を制御するために１つ以上の制御指令を送るための中央プロセッサ・ユニットとを含む請求項２２に記載の装置。
【請求項２４】
特定の周波数帯の雑音信号のスペクトル・エネルギに対する中間周波数弾性表面波フィルタ・ユニットと、１つ以上の帯域幅中間周波数帯域通過フィルタと、マルチプレクサ・ユニットとを含む請求項２２に記載の装置。
【請求項２５】
中央プロセッサ・ユニットは所定の干渉閾値に関する信号の強度を検査することによりアップリンク信号中の干渉成分を認識する請求項１に記載の装置。
【請求項２６】
１つ以上のコンバータはアナログ−ディジタル・コンバータである請求項１に記載の装置。
【請求項２７】
中央プロセッサ・ユニットは信号の安定性または時間軸に沿った信号強度を検査することによりアップリンク信号中の干渉成分を認識する請求項１に記載の装置。
【請求項２８】
中央プロセッサ・ユニットは信号の端部での干渉エンベロープの検査および検出されたエンベロープと既知構造の無線信号との比較により識別されるスペクトル構造を検査することによってアップリンク信号中の干渉成分を認識する請求項１に記載の装置。
【請求項２９】
中央プロセッサ・ユニットは既定のタイムスロットと、タイムスロット間隔とにまたがる信号の電力レベルを検査することによりアップリンク信号中の干渉成分を認識する請求項１に記載の装置。
【請求項３０】
中央プロセッサ・ユニットはサイトの制御チャネルのベース・シーケンスの相関器を検査することによりアップリンク信号中の干渉成分を認識する請求項１に記載の装置。
【請求項３１】
中央プロセッサ・ユニットは時間を通じて決定されるベース・レベルの外の読取り値を検出するための実際のアップリンク・レベルと比較して、以前に行われた１つ以上の送信のアップリンク・レベルの統計を検査することによりアップリンク信号中の干渉成分を認
識する請求項１に記載の装置。
【請求項３２】
中央プロセッサ・ユニットは検出された各干渉信号の始めと終りとの間の時間の長さを検査することによりアップリンク信号中の干渉成分を認識する請求項１に記載の装置。
【請求項３３】
前記１つ以上の制御指令は内部に設置された前記１つ以上のアンテナ・デバイスのオンまたはオフへの切替のために提供される請求項１に記載の装置。
【請求項３４】
構内通信無線分配システムのアップリンク無線信号中の干渉の検出のための方法であって、
構内無線ネットワーク内に配置された一組のアンテナから受信される無線信号中の干渉の存在を判定する工程と、
無線信号中に干渉成分が存在するか否かを判定する工程と、
構内無線ネットワーク内に配置された該一組のアンテナから第１のアンテナを選択する工程と、
第１のアンテナの信号強度を減衰値だけ減衰させる工程とからなる方法。
【請求項３５】
第１のアンテナからの信号強度の減衰は前記減衰値だけ減少したか否かを判定する工程を含む請求項３４に記載の方法。
【請求項３６】
構内無線ネットワーク内に配置された前記一組のアンテナから第２のアンテナを選択する工程と、
第２のアンテナの信号強度を減衰値だけ減衰させる工程と、
第２のアンテナからの信号強度の減衰は該減衰値だけ減少したか否かを判定する工程とを含む請求項３４に記載の方法。
【請求項３７】
干渉が所定の閾値未満になるまで第１のアンテナまたは第２のアンテナを減衰させる工程を含む請求項３４に記載の方法。
【請求項３８】
干渉が構内ネットワーク全体にわたって広がるのを防止するために第１のアンテナまたは第２のアンテナをオフに切り替える工程を含む請求項３４に記載の方法。
【請求項３９】
第１のアンテナはまたは第２のアンテナは複数のアンテナである請求項３４に記載の方法。
【請求項４０】
受信される信号強度は第１のアンテナまたは第２のアンテナの信号強度を約５〜２５ｄＢだけ増大または減少させることにより減衰される請求項３４に記載の方法。
【請求項４１】
第１のアンテナまたは第２のアンテナは構内ネットワークを構成するアンテナの組全体である請求項３４に記載の方法。
【請求項４２】
構内無線ネットワークの全てのアンテナを切断する工程を含む請求項３４に記載の方法。
【請求項４３】
第１のアンテナまたは第２のアンテナを減衰させる工程は、アンテナの信号強度を増大または減少させる工程を含む請求項３４に記載の方法。
【請求項４４】
第１のアンテナまたは第２のアンテナからの信号強度の減衰に続いて信号内に干渉が現れるか否かを判定する工程を含む請求項３４に記載の方法。
【請求項４５】
干渉が検出されるまでまたは所定の信号強度閾値に達するまで、第１のアンテナまたは第２のアンテナの信号強度を反復的に増大させる工程を含む請求項３４に記載の方法。
【請求項４６】
干渉が減少する場合、オフに切り替えたアンテナを再接続する、または、第１のアンテナもしくは第２のアンテナに所定の信号強度を回復させる工程を含む請求項３４に記載の方法。
【発明の詳細な説明】
【技術分野】
【０００１】
本発明は構内通信無線分配システムに関する。より詳細には、本発明は構内通信無線分配システムにおける干渉減少に関する。
【背景技術】
【０００２】
最近、セルラ・ネットワークまたは無線ＬＡＮネットワークなどの無線アンテナ・ネットワークの構内配備は、通信の世界において、ますます広まりつつある現象である。そのような無線アンテナ・ネットワークは、特に、多店舗オフィス・ビルディング、大規模ショッピング・モール、駐車場（地下と地上の両方）、アパート・ビルディング、住居、遠方の建造物など、大きい人工建造物において配備されている。構内配備は、信号を欠いているか、適度に充分な通信性能に必要な信号強度を欠いている区域における無線分配システムの動作を可能とする。構内配備の目的は、ネットワーク・カバレッジが減少しているかまたは存在しない、大きい人工建造物内で動作する通信ネットワークの加入者への、機能強化され拡張された無線通信サービスの提供と、娯楽施設、交通の中心地、病院の複数ビルディング、大学キャンパス、および複合商業施設など、潜在的なサービス・ユーザの数が多い混雑した区域でのネットワークの容量の増加との両方に関する。
【０００３】
通常、大きい構内区域を有する建造物に、拡張または機能強化された無線カバレッジを提供するために、２つの従来の構成が使用されている。第１の構成はリピータ・デバイスの利用を特徴としており、サービスは、カバーされ得る建造物の非常に近くに配置されたドナーサイト（ｄｏｎｏｒ  ｓｉｔｅ）によって提供される。カバーされ得る建造物内の適当な位置に、外部アンテナが設置される。外部アンテナは外部のドナーサイトから信号を受信し、外部のドナーサイトへ信号を放送する。外部アンテナは双方向増幅器デバイスを介して、カバーされ得る建造物の内部空間内に設置された１つ以上の内部アンテナに接続されている。したがって、外部アンテナによって外部のドナーサイトから受信されるダウンリンク信号は、増幅され、カバーされ得る建造物の内部空間内で内部アンテナに分配される。内部アンテナは、カバーされ得る建造物の内部空間全体にわたって、セルラ電話機などのカスタマ通信デバイスへ信号を放送する。カバーされ得る建造物の内部空間内で動作するカスタマ通信デバイスによって生成されるアップリンク信号は、内部アンテナによって受信され、外部アンテナへと供給され、外部アンテナによって外部のドナーサイトへ放送される。
【０００４】
第２のタイプの構成では、ドナーサイトは利用されない。その代わりに、ドナーサイト／外部アンテナは、カバーされ得る建造物内に設置される完全な無線基地局（ＲＢＳ；Ｒａｄｉｏ  Ｂａｓｅ  Ｓｔａｔｉｏｎ）に置換される。ＲＢＳは、建造物内の無線ユーザ・デバイス（セルラ電話機など）間における信号の伝播を可能にするラジオ送信器および受信器からなる。ＲＢＳは、第１の構成と同様の手法により、双方向増幅器デバイスを介してカバーされ得る建造物の内部空間内の内部に設置されたアンテナのネットワークに接続されている。
【０００５】
通常の構成では、セルラ信号などの）無線信号は、内部に設置されている、複数の相互接続されているアンテナの間で分割（スプリット）される。この相互接続されている内部アンテナは、ＲＦケーブルまたは光ファイバを介してリピータ・デバイスまたは無線基地局（ＲＢＳ）に結合されている。相互接続の結果として、例えば建造物において動作する特定の電子コンポーネントまたは特定のコンピューティング・デバイスによって生成された干渉など、雑音の多い信号を１つ以上の内部アンテナが受信する場合、干渉する信号は
、内部アンテナの組全体からの信号の受信の中断、即ち、阻止をもたらす場合がある。そうした干渉は、アンテナから受信される信号が加算されて一体となるという事実により強化される。したがって、１つのアンテナによって作り出される干渉により、同一建造物内に配置された他のアンテナから受信される信号が阻止される可能性がある。さらに、サービスがドナー局により提供され、かつ、リピータが建造物に配置されている第１の配備構成では、干渉する信号は増幅され、エア・インターフェースを介してドナー局へ送信されることにより、より広い区域にまたがる無線信号の中断、即ち、阻止を生じ得る。
【発明の開示】
【発明が解決しようとする課題】
【０００６】
したがって、カバーされ得る建造物にサービス提供するアンテナによって干渉が受信される通信ネットワークの特定の構内配備セグメントに関連する、マイクロセル／ピコセルまたはネットワーク・セルにおいて生成される局所的な干渉を、より広いネットワークへと分配することを実質的に減少させるために、新規のシステムおよび方法が必要であることを、当業者は容易に認めるであろう。干渉の減少により、他の関連するアンテナから適切に雑音のない無線信号が適正に受信されるとともに、建造物の内部空間の外のより広い区域にまたがる無線信号の適正な受信および送信が干渉により中断および阻止される状況が防止される。
【課題を解決するための手段】
【０００７】
本発明の第１の態様は、建造物の内部空間内に配置される構内通信無線分配システム内に配備される装置に関する。この装置は、次の要素を備える：外部アンテナを備える無線基地局またはリピータ（双方向増幅器）デバイス、構内ネットワーク内の干渉を検出し、かつ、減少させるための中央制御ユニット、内部に設置された１つ以上のアンテナ・デバイスの減衰を制御するための、中央制御ユニットに関連する１つ以上のアンテナ減衰制御ユニット、ならびに、１つ以上のアンテナ減衰制御ユニットに関連しており、かつ、構内エア・インターフェース信号を介して送受信するための、内部に設置された１つ以上のアンテナ・デバイス。
【０００８】
本発明の第２の態様は、構内通信無線分配システムのアップリンク無線信号中の干渉の検出のための方法に関する。この方法は、次の工程からなる：構内ネットワーク内に配置された一組のアンテナから受信される無線信号中の干渉の存在を判定する工程、無線信号中に干渉成分が存在するか否かを判定する工程、構内ネットワーク内に配置された一組のアンテナから第１のアンテナを選択する工程、および、第１のアンテナの信号強度を減衰値だけ減衰させる工程。
【０００９】
本発明の第３の態様は、建造物の内部空間内に配置される構内通信無線分配システム内に配備される装置に関する。この装置は、外部アンテナおよび双方向増幅器を備える無線基地局またはリピータ・デバイスと、構内無線ネットワーク内の干渉を検出し、かつ、減少させるための中央制御ユニットと、内部に設置された１つ以上のアンテナ・デバイスの減衰を制御するための、中央制御ユニットに関連する１つ以上のアンテナ減衰制御ユニットと、１つ以上のアンテナ減衰制御ユニットに関連しており、かつ、構内エア・インターフェース信号を介して送受信するための、内部に設置された１つ以上のアンテナ・デバイスとからなる。リピータ・デバイスは双方向増幅器ミニリピータである。内部に設置された１つ以上のアンテナ・デバイスはマルチバンド垂直偏波構内全方向アンテナである。この装置は、１つ以上のアンテナ減衰制御ユニットに関連する内部に設置された１つ以上のアンテナ・デバイスの放送を強化するための、１つ以上のアンテナ減衰制御ユニットに接続されている１つ以上のリピータを含む。中央制御ユニットは干渉の検出のために１つ以上のアップリンク信号をサンプリングすることにより干渉源のアンテナを検出する。関連するアンテナから受信される信号強度を減衰させるよう１つ以上のアンテナ減衰制御ユニ
ットに指令することにより検出が達成される。中央制御ユニットは所定の干渉閾値未満の値まで干渉のレベルを減少させるために１つ以上のアップリンク信号を再サンプリングすることにより干渉を低減または除去する。中央制御ユニットは内部に設置された関連する１つ以上のアンテナ・デバイスを切断するか、または、その送信のレベルを低下させるように１つ以上のアンテナ減衰制御ユニットに指令することにより干渉を低減または除去する。中央制御ユニットは転送される信号に干渉することなくカプラ・デバイスにより信号をサンプリングすることによって、送信周波数の阻止または無線信号でない干渉信号を識別する。中央制御ユニットは信号をサンプリングし、干渉を生成する非無線信号を識別する。中央制御ユニットは内部に設置された１つ以上のアンテナ・デバイスを切断するまたは減衰させるために１つ以上のアンテナ減衰制御ユニットに１つ以上の指令信号を発行する。中央制御ユニットは、検出される干渉が存在するか否か、または、干渉の強度が既定の閾値を超えるか否かを検査するためにアップリンク信号を再サンプリングする。１つ以上のアンテナ減衰制御ユニットは、信号経路を介する中央制御ユニットからの信号および信号に埋め込まれている関連する１つ以上の制御指令を受信するため、かつ、信号のＲＦ成分から電力成分を分離し、電力成分を電源ユニットへ供給するための、キャパシタおよびチョークを備えるバイアス・ティーまたはＤＣインサータと、信号を減衰させることなくＲＦ成分をサンプリングするためのカプラと、１つ以上の制御指令の周波数範囲を維持しながらＲＦ成分の周波数範囲を減衰させるための帯域通過フィルタと、１つ以上の制御指令を復号し、１つ以上の制御指令を利得コントローラへ供給するためのデコーダと、ＲＦ減衰器の動作を制御するための利得コントローラと、内部に設置された１つ以上のアンテナ・デバイスへＲＦ成分を供給するためのＲＦ減衰器とを含む。この装置は、内部に設置された１つ以上のアンテナ・デバイスをオンおよびオフに切り替えるためのＲＦスイッチを含む。復号された１つ以上の制御指令はアンテナをオンまたはオフに切り替えるようにＲＦスイッチに指示するためにＲＦスイッチへ供給される。ＲＦ減衰器は信号を減衰させることまたは信号の強度を増大させることにより利得コントローラの出力に応答する。ＲＦ減衰器は可変強度信号をバイアス・ティーへフィードバックし、バイアス・ティーは干渉の検出のための中央制御ユニットによる再サンプリングのためにＲＦ信号を中央制御ユニットへフィードバックする。この装置は、１つ以上のアンテナ減衰制御ユニットの構成要素へ電力を供給するための電源ユニットを含む。中央制御ユニットは、１つ以上のアンテナ減衰制御ユニットへ送られる信号に電力を挿入するためのバイアス・ティーと、１つ以上の制御指令の外部アンテナへの伝送を阻止するための周波数選択回路を備える高域通過フィルタと、信号の劣化または信号強度の減衰なく信号をサンプリングするためのカプラと、１つ以上の制御指令を１つ以上のアンテナ減衰制御ユニットへ送り、無線信号を帯域通過フィルタへ送るためのスプリッタ・ユニットと、無線信号をろ過するための周波数選択回路を備える無線帯域通過フィルタと、干渉を検出するための干渉検出器と、干渉検出器から出力を受信し、１つ以上のアンテナ減衰制御ユニットを有効化するためのアンテナ減衰制御ユニット・コントローラと、１つ以上の制御指令を無線信号と結合するために１つ以上の制御指令をスプリッタ・ユニットへ渡すための周波数選択回路を備える制御帯域通過フィルタとを含む。この装置は、電力ネットワークによって電力供給されており、かつ、中央制御ユニットおよび１つ以上のアンテナ減衰制御ユニットの動作用の電力を生成する電源を含む。アンテナ減衰制御ユニット・コントローラは複数のアンテナまたはリピータに関する干渉を検出するために無線基地局内に設置される。この装置は、アップリンク信号中の干渉の検出のための干渉検出ユニットを含む。干渉検出ユニットは、１つ以上の信号を複数の類似の信号に分割するための１つ以上のスプリッタ・ユニットと、複数の類似の信号に対してスペクトル解析を実行し、干渉エンベロープを所定の無線信号形態と比較するためのエンベロープ検出器と、複数の類似の信号をアナログ形態からディジタル形態へ変換するための１つ以上のコンバータ・ユニットと、複数の類似の信号を中間周波数へ変換するダウンコンバータ・ユニットと、アナログ形態の複数の類似の信号を処理するディジタル信号プロセッサと、ディジタル形態の複数の類似の信号を処理するための、かつ、内部に設置された１つ以上のアンテナ・デバイスの減衰を制御するために１つ
以上の制御指令を送るための中央プロセッサ・ユニットとを含む。この装置は、特定の周波数帯の雑音信号のスペクトル・エネルギに対する中間周波数弾性表面波フィルタ・ユニットと、１つ以上の帯域幅中間周波数帯域通過フィルタと、マルチプレクサ・ユニットとを含む。中央プロセッサ・ユニットは所定の干渉閾値に関する信号の強度を検査することによりアップリンク信号中の干渉成分を認識する。１つ以上のコンバータはアナログ−ディジタル・コンバータである。中央プロセッサ・ユニットは信号の安定性または時間軸に沿った信号強度を検査することによりアップリンク信号中の干渉成分を認識する。中央プロセッサ・ユニットは信号の端部での干渉エンベロープの検査および検出されたエンベロープと既知構造の無線信号との比較により識別されるスペクトル構造を検査することによってアップリンク信号中の干渉成分を認識する。中央プロセッサ・ユニットは既定のタイムスロットと、タイムスロット間隔とにまたがる信号の電力レベルを検査することによりアップリンク信号中の干渉成分を認識する。中央プロセッサ・ユニットはサイトの制御チャネルのベース・シーケンスの相関器を検査することによりアップリンク信号中の干渉成分を認識する。中央プロセッサ・ユニットは時間を通じて決定されるベース・レベルの外の読取り値を検出するための実際のアップリンク・レベルと比較して、以前に行われた１つ以上の送信のアップリンク・レベルの統計を検査することによりアップリンク信号中の干渉成分を認識する。中央プロセッサ・ユニットは検出された各干渉信号の始めと終りとの間の時間の長さを検査することによりアップリンク信号中の干渉成分を認識する。１つ以上の制御指令は内部に設置された１つ以上のアンテナ・デバイスのオンまたはオフへの切替のために提供される。
【００１０】
本発明の第４の態様は、構内通信無線分配システムのアップリンク無線信号中の干渉の検出のための方法に関する。この方法は、次の工程からなる：構内無線ネットワーク内に配置された一組のアンテナから受信される無線信号中の干渉の存在を判定する工程、無線信号中に干渉成分が存在するか否かを判定する工程、構内無線ネットワーク内に配置された一組のアンテナから第１のアンテナを選択する工程、および、第１のアンテナの信号強度を減衰値だけ減衰させる工程。この方法は、第１のアンテナからの信号強度の減衰は減衰値だけ減少したか否かを判定する工程を含む。この方法は、次の工程を含む：構内無線ネットワーク内に配置された一組のアンテナから第２のアンテナを選択する工程、第２のアンテナの信号強度を減衰値だけ減衰させる工程、および、第２のアンテナからの信号強度の減衰は減衰値だけ減少したか否かを判定する工程。この方法は、干渉が所定の閾値未満になるまで第１のアンテナまたは第２のアンテナを減衰させる工程を含む。この方法は、干渉が構内ネットワーク全体にわたって広がるのを防止するために第１のアンテナまたは第２のアンテナをオフに切り替える工程を含む。第１のアンテナはまたは第２のアンテナは複数のアンテナである。受信される信号強度は第１のアンテナまたは第２のアンテナの信号強度を約５〜２５ｄＢだけ増大または減少させることにより減衰される。第１のアンテナまたは第２のアンテナは構内ネットワークを構成するアンテナの組全体である。この方法は、構内無線ネットワークの全てのアンテナを接続するである。第１のアンテナまたは第２のアンテナを減衰させる工程は、アンテナの信号強度を増大または減少させる工程を含む。この方法は、第１のアンテナまたは第２のアンテナからの信号強度の減衰に続いて信号内に干渉が現れるか否かを判定する工程を含む。この方法は、干渉が検出されるまでまたは所定の信号強度閾値に達するまで、第１のアンテナまたは第２のアンテナの信号強度を反復的に増大させる工程を含む。この方法は、干渉が減少する場合、オフに切り替えたアンテナを再接続する、または、第１のアンテナもしくは第２のアンテナに所定の信号強度を回復させる工程を含む。
【発明を実施するための最良の形態】
【００１１】
セルラ・ネットワークなどの構内通信無線分配システムの干渉の特定（ｌｏｃａｔｉｏｎ）および減少のためのシステムおよび方法を開示する。本発明では、システム内の干渉を特定し、減少させるようにプログラムされた中央制御ユニットを開示する。このシステ
ムには、さらに、無線サイト内のアンテナの送信のレベルを減少および増大させることにより、無線サイト内の干渉の検出および減少を可能とするようにプログラムされている減衰器が含まれる。また、この減衰器は無線サイト内の干渉の位置を特定し、干渉を減少させるため、各々のアンテナをオンおよびオフに切り替えるように設計されている。
【００１２】
ここで図１を参照する。図１には、本発明の好適な一実施形態による干渉検出および減少のシステムの概略図を示す。本発明のこの好適な実施形態では、建造物の内部空間に配備された構内通信無線分配システム用の干渉減少システム１０は、無線基地局（ＲＢＳ）またはリピータ（双方向増幅器）デバイス１２、中央制御ユニット（ＣＣＵ）１４、一組のアンテナ減衰制御（ＡＡＣ；Ａｎｔｅｎｎａ  Ａｔｔｅｎｕａｔｉｏｎ  Ｃｏｎｔｒｏｌ）ユニット１６，１８，２０，２１、および、内部に設置された一組のアンテナ・デバイス２４，２５，２６，２７からなる。内部に設置された一組のアンテナ・デバイス２４，２５，２６，２７は、それぞれＡＡＣユニット１６，１８，２０，２１に関連付けられている。１つの例示的なリピータ・デバイスは、イスラエル国オル−イシュダ（Ｏｒ−Ｙｅｈｕｄａ）のセルバイン社（Ｃｅｌｌｖｉｎｅ）製造の双方向増幅器であるミニリピータ、またはこれに代えて、イスラエル国ペタチ・ティクバ（Ｐｅｔａｃｈ  Ｔｉｋｖａ）のＤｅｋｏｌｉｎｋ社製造のＧＳＭ  Ｃｏｍｐａｃｔ  ＢＤＡ  １  Ｗａｔｔ  Ｃｏｍｐｏｓｉｔｅリピータなどである。無線サイトを収容している建造物内で使用される例示的なアンテナは、ドイツ国ローゼンハイム（Ｒｏｓｅｎｈｅｉｍ）のＫａｔｈｒｅｉｎ−Ｗｅｒｋｅ  ＫＧ社製造のＫａｔｈｒｅｉｎ  ７４１５７２または７４１５７１など、マルチバンド垂直偏波構内全方向アンテナである。リピータ・デバイス１２は、外部に設置されたアンテナ２２および関連する双方向増幅器（図示せず）からなる。随意で、各々の設置されたアンテナデバイス２４，２５，２６，２７による放送を強化するために、各ＡＡＣ  １６，１８，２０，２１はリピータ２８，２９，３０，３１に接続されていてもよい。ダウンリンクにおいては、セルラ信号など、より広い外部無線ネットワークにおける無線ドナー局（図示せず）からエア・インターフェースを介して送信される無線信号が、外部アンテナによって受信され、増幅器ユニットへ供給される。このダウンリンク信号は増幅器によって増幅され、中央制御ユニット（ＣＣＵ）１４へ供給される。ダウンリンク信号は適切に分割され、ＣＣＵ  １４から、それぞれアンテナ減衰制御（ＡＡＣ）ユニット１６，１８，２０，２１を介し、複数の内部に設置されたアンテナ２４，２５，２６，２７へ供給される。ダウンリンク信号はアンテナ２４，２５，２６，２７によって、建造物内のエア・インターフェースを介して、建造物の内部空間内で潜在的に動作するセルラ電話機（図示せず）などの顧客無線通信デバイスへ送信される。随意で、ダウンリンク信号放送は、各ＡＡＣ  １６，１８，２０，２１に接続されている各アンテナ・デバイス２４，２５，２６，２７の次に設置されたリピータにより、さらに強化される。アップリンクにおいては、顧客無線通信デバイス内において生成されたＲＦ信号が、内部エア・インターフェースを介して、建造物内に内部的に設置された一組のアンテナ２４，２５，２６，２７へ送信される。このアップリンク信号はアンテナ２４，２５，２６，２７によって受信され、関連するＡＡＣユニット１６，１８，２０，２１へ供給される。アップリンク信号は結合され、ＡＡＣ���ニット１６，１８，２０，２１から中央制御ユニット（ＣＣＵ）１４へ供給される。アップリンク信号は、ＣＣＵ  １４からリピータ・ユニット１２へ供給される。このアップリンク信号は、より広いセルラ・ネットワークによって受信されるために、増幅され、外部に取り付けられたアンテナ２２を介し、外部エア・インターフェースを介してドナー局へ供給される。建造物内で生成される潜在的な雑音および結果として得られる信号干渉が、アンテナ１６，１８，２０，２１によって受信される。ＣＣＵ  １４は、干渉のレベルが実質的に所定の干渉閾値未満の値へと減少するまで、干渉の検出のためにアップリンク信号を選択的かつ連続的にサンプリングすること、ＡＡＣユニット１６，１８，２０，２１に選択的かつ連続的に指令して関連するアンテナ２４，２５，２６，２７から受信される信号強度を減衰させること、および、アップリンク信号を選択的かつ連続的に再サンプリングすることにより、干渉源のアンテナを検出する。干渉のレベ
ルが充分に高い場合、ＣＣＵ  １４は、そのような干渉が存在する限り、干渉が最小になるか存在しなくなるように、関連するアンテナ２４，２５，２６，２７を切断するか、または、関連するアンテナ２４，２５，２６，２７の送信のレベルを一時的に許容可能なレベルまで低下するよう適切なＡＡＣ  １６，１８，２０，２１に指令することが可能である。干渉の減少または休止の認識に続いて、ＣＣＵ  １４は、関連するアンテナ２４，２５，２６，２７に再接続するか、または、関連するアンテナ２４，２５，２６，２７の以前の送信のレベルを回復させるように、即ち、アップリンク信号を強めることを可能とするように、適切なＡＡＣ  １６，１８，２０，２１に指令する。
【００１３】
ＣＣＵ  １４は、送信周波数の阻止を識別するように、または、適当な通信信号（セルラ、ＷＬＬなど）でない干渉信号を識別するように設計されている。ＣＣＵ  １４は、転送される信号に干渉することも転送される信号を減衰させることもなく、カプラ・デバイスによりセルラ信号をサンプリングする。ＣＣＵ  １４は、さらに、ＲＦキャパシタを介してリモート・ユニットに電力を供給する。
【００１４】
各構内アンテナ２４，２５，２６，２７は、好適には、そのアンテナを切断するかそのアンテナによって送信される信号を減衰させる選択肢を提供するＡＡＣ（エッジ）要素１６，１８，２０，２１に関連付けられる。ＣＣＵ  １４およびＡＡＣ（エッジ）ユニット１６，１８，２０，２１は、配備されたＲＦその他の通信ケーブルを介してリンクされる。低周波数変調された信号は、ＲＦケーブルその他類似のケーブルを介して転送される。同一のケーブルにより、ＡＡＣ（エッジ）ユニット１６，１８，２０，２１の動作のための電力が供給される。システムの通常動作中、ＣＣＵ  １４およびＡＡＣ（エッジ）ユニット１６，１８，２０，２１は、劣化または減衰なしで無線信号を通過させる。ＣＣＵ  １４は信号をサンプリングし、潜在的に通信チャネルへの干渉を生成し得る干渉信号の識別を試みる。サンプリング処理を介してＣＣＵ  １４により干渉が検出されたとき、ＣＣＵ  １４は、順序に従い、かつ、連続的な手法によりＡＡＣ（エッジ）ユニット１６，１８，２０，２１へ送られる、一組の同一の制御指令信号を開始させる。ここで制御指令信号の順序は、ＡＡＣ（エッジ）ユニット１６，１８，２０，２１の既定の識別子に従う。特定のＡＡＣ（エッジ）ユニット１６，１８，２０，２１がＣＣＵ  １４によって送られた制御指令信号を認識するとき、そのＡＡＣ（エッジ）ユニット１６，１８，２０，２１は、関連するアンテナ２４，２５，２６，２７を切断すること、または、アップリンクのセルラ信号を漸減的に減衰させることによって、その制御指令に応答する。その結果、ＡＡＣ（エッジ）ユニット１６，１，８，２０，２１は、確認信号をＣＣＵ  １４へ送り返すことによって、制御指令の受信を確認する。確認信号の受信の結果、ＣＣＵ  １４は、以前に検出された干渉がまだ存在するか否か、即ち、干渉の強度がまだ既定の閾値を超えるものとして識別されるか否かを検査するために、アップリンク信号を再サンプリングすることによって確認に応答する。関連する干渉が存在しないかまたは干渉信号強度が検出されない場合、以前に切断されたアンテナ２４，２５，２６，２７が干渉源であったとＣＣＵ  １４により判定される。干渉がまだ検出可能である場合、ＣＣＵ  １４は現在のＡＡＣ（エッジ）ユニット１６，１８，２０，２１へ関連するアンテナ２４，２５，２６，２７を再接続するように指令するとともに、ＣＣＵ  １４は同一の切断指令を次のＡＡＣ（エッジ）ユニットに送る。アンテナの切断中の時間間隔は、切断されたアンテナによる通信チャネルへの影響（セルラ通信においては、この時間が呼の切断を引き起こさないこと）を最小とするために、極端に短い期間、存続するように設計される。干渉源に関連するアンテナが識別されたとき、制御信号がＣＣＵ  １４に送られる。これに応答して、ＣＣＵ  １４は、関連するＡＡＣ（エッジ）ユニット１６，１８，２０，２１を介する漸減的減衰処理を開始する。ＡＡＣ（エッジ）ユニット１６，１８，２０，２１は、干渉を減少させるためにＲＦセルラ信号を漸減的に減衰させる。各減衰ステップの結果、信号がＣＣＵ  １４によって再サンプリングされる。ＣＣＵ  １４による干渉検出のレベルに従って、検出された干渉が既定の閾値未満になるまで、または、アンテナの完全な切断まで、
セルラ信号の強度が可変減衰器（ＶＶＡ）またはディジタル制御減衰器（ＤＣＡ）の動作を介して連続的に減少される。代替の一実施形態では、ＣＣＵ  １４による干渉を検出すると、ＣＣＵ  １４は、アンテナを切断するように、または、ＣＣＵ  １４によりもはや干渉が検出されないレベルまで全てのアンテナを減衰させるようにＡＡＣユニット１６，１８，２０，２１に指令することにより、アンテナ・アレイ２４，２５，２６，２７全体を切断する。次に、ＣＣＵ  １４は第１のＡＡＣユニット１６に、そのＡＡＣユニットに関連するアンテナ２４をオンにするか、または、アンテナ２４の減衰をその動作の通常レベルもしくは所定のレベルまで増大するように指示する。次に、単一のアンテナだけが動作、即ち、通常または所定のレベルで動作しており、ＣＣＵ  １４により干渉が検出されないとき、ＣＣＵ  １４は第２のＡＡＣユニット１８に、アンテナ２５をオンにするか、または、アンテナ２５の減衰を動作の通常もしくは所定のレベルまで増大するように指示する。この手法により、干渉が検出されるときまで、アレイまたは建造物内の他のアンテナ２６，２７がオンにされるか、その減衰が関係するエッジ・ユニットを介して増大される。干渉が検出されると、ＣＣＵ  １４は、最後にオンにされたまたは減衰の増大されたアンテナを、干渉を引き起こすアンテナとして記録する。次に、ＣＣＵ  １４は関係するＡＡＣユニットに、アンテナをオフにするか、または、検出される干渉が所定のレベルまで減少するもしくは消失するまでそのアンテナの信号を減衰させるように指示する。続いてＣＣＵ  １４は、同じ手法により、他のアンテナをオンにするかまたは減衰を増大させることにより、無線サイト内の干渉を検出し、減少させる。
【００１５】
ここで図２を参照する。図２には、本発明の好適な一実施形態によるエッジ・ユニットの概略図を示す。ＡＡＣユニット、即ち、エッジ・ユニット３２は、バイアス・ティー（またはＤＣインサータ）３６、電源ユニット３４、カプラ４１、帯域通過フィルタ４０、デコーダ４２、利得コントローラ４４、およびＲＦ減衰器３８からなる。随意で、このユニットは、アンテナをオンおよびオフに切り替えるＲＦスイッチ３９を備える。バイアス・ティー３６にはキャパシタおよびチョーク（図示せず）が含まれ、信号経路を介してダウンリンクＲＦ信号および図１のＣＣＵ  １４からの信号に埋め込まれている関連する制御指令を受信する。デコーダ４２、利得コントローラ４４、ＲＦ減衰器３８、および随意でＲＦスイッチなど、このシステムの能動構成要素にユニット３４が電力を供給できるようにするために、バイアス・ティー３６はＲＦ成分からＤＣ電力成分を分離し、ＤＣ電力を電源ユニット３４へ供給する。ＤＣ電力から分離されたダウンリンクＲＦ信号は、バイアス・ティー３６から信号伝送経路を介してＲＦ減衰器３８へ直接的に供給され、そこから今度は関連する内部アンテナへ供給される。ダウンリンクＲＦ信号は、伝送経路を介して伝送されるＲＦ信号の劣化または減衰なく、カプラ・デバイス４１によってサンプリングされる。サンプリングされた信号は、制御経路を介して帯域通過フィルタ４０へ供給される。帯域通過フィルタ４０は周波数選択回路であり、制御指令の周波数範囲の強度を維持しながら、ＲＦ通信信号の適切な高周波数範囲を減衰させる。制御指令はデコーダ４２へ供給され、デコーダ４２は、その制御指令を復号する。復号された制御指令は利得コントローラ４４へ供給され、利得コントローラ４４の出力がＲＦ減衰器３８の動作を制御する。或いは、復号された制御指令はＲＦスイッチ３９へ直接的に供給され、このスイッチにアンテナをオンまたはオフに切り替えるように指示する。減衰器４４は、アップリンクＲＦ信号を減衰させることまたはアップリンクＲＦ信号の強度を増大することによって、利得コントローラ４４の出力に応答する。ＲＦ減衰器は、ａ）わずかな減衰がもたらされるように、ｂ）高い線形性がもたらされるように、ｃ）信号の減衰が漸減的に達成されるように、ＲＦ信号を処理することが可能である。したがって、アップリンクにおいて、潜在的干渉の検出用にＣＣＵに再サンプリングさせるために、ＲＦ減衰器３８が潜在的に強度の変更し得る可変強度のＲＦ信号をバイアス・ティー３６へフィードバックし、バイアス・ティー３６が、そのＲＦ信号をＣＣＵへフィードバックする。
【００１６】
ここで図３を参照する。図３には、本発明の好適な一実施形態による中央制御ユニット
を示す概略図を示す。ＣＣＵ  ４６は、電源５２、バイアス・ティー５０、高域通過フィルタ（無線帯域）４８、カプラ５４、スプリッタ・ユニット５６、セルラ・アップリンク帯域通過フィルタ５８、干渉検出器６２、ＡＡＣ（エッジ）コントローラ６４、および制御帯域通過フィルタ６０からなる。電源５２は、電力ネットワークによって供給され、ＣＣＵおよびＡＡＣ（エッジ）ユニットの動作のためのＤＣ電力を生成する。バイアス・ティー５０は、ＡＡＣ（エッジ）ユニットへ伝送されるＲＦ信号にＤＣ電力を挿入する。高域通過フィルタ（ＨＰＦ）４８は、外部アンテナへの制御指令信号の伝送を阻止しながらＲＦ無線信号だけの伝送を可能とする、周波数選択回路である。カプラ回路５４は、それを通って伝送される通信（セルラ）信号を劣化させず、その強度を減衰させないサンプリングを提供する。スプリッタ・ユニット５６は、制御指令信号をＲＦ伝送経路を介してＡＡＣ（エッジ）ユニットへ伝送し、ＲＦ信号を帯域通過フィルタ５８へ伝送する。セルラ・アップリンク帯域通過フィルタ５８は、アップリンク・チャネルにおいてセルラ信号をろ過する周波数選択回路である。干渉検出器６２は、アップリンク・チャネルにおける干渉の検出を担う。エッジ・コントローラ６４は、潜在的な干渉の強度に関する干渉検出器６２の出力を受信し、適切なＡＡＣ（エッジ）ユニットの有効化による構内アンテナからの信号増幅を変更する方法の実行を開始する。随意で、ＲＢＳ内にエッジ・コントローラ６４が設置される。このユニット６４は、単純な通信コントローラである。エッジ・コントローラ６４がＲＢＳ内に設置されるとき、エッジ・コントローラ６４を使用して、単一のアンテナに関してではなく、複数のアンテナまたはリピータに関する干渉を検出することが可能である。制御帯域通過フィルタ６０は制御指令信号の周波数の範囲を通過させる周波数選択回路であり、制御指令信号をＲＦ信号と結合するために、制御指令信号をスプリッタ５６へ供給する。
【００１７】
ここで図４を参照する。図４には、本発明の好適な一実施形態による干渉検出ユニットを示す概略図を示す。干渉検出ユニット７０は、アップリンク・チャネルにおける干渉の検出を担う。ユニット７０は、第１のスプリッタ・ユニット７２、第２のスプリッタ・ユニット８２、エンベロープ検出器７４、ダウンコンバータ・ユニット７８、中間周波数弾性表面波（ＩＦ  ＳＡＷ；Ｉｎｔｅｒｍｅｄｉａｔｅ  Ｆｒｅｑｕｅｎｃｙ  Ｓｕｒｆａｃｅ  Ａｃｏｕｓｔｉｃ  Ｗａｖｅ）フィルタ・ユニット８０、一組の種々の帯域幅の中間周波数（ＩＦ；Ｉｎｔｅｒｍｅｄｉａｔｅ  Ｆｒｅｑｕｅｎｃｙ）帯域通過フィルタ（ＢＰＦ）８６、マルチプレクサ・ユニット８８、ディジタル信号プロセッサ（ＤＳＰ）９２、中央プロセッサ・ユニット、即ち、マイクロプロセッサ９４、第１のアナログ−ディジタル（Ａ／Ｄ）コンバータ・ユニット８４、第２のアナログ−ディジタル（Ａ／Ｄ）コンバータ・ユニット９０、および第３のアナログ−ディジタル（Ａ／Ｄ）コンバータ・ユニット７６を備える。アップリンク信号７１が、特定のアンテナから関連するエッジ・ユニットを介して受信される。このアップリンク信号は、その信号中の雑音の潜在的な存在を認識するために、干渉検出器ユニット７０によって処理される。アップリンク信号中の干渉成分の認識は、ａ）所定の干渉閾値に対する信号の強度、ｂ）信号の安定性、即ち、時間軸に沿った信号強度、ｃ）信号の端部での干渉エンベロープの検査および検出されたエンベロープと既知のセルラ技術のプロトコルにより生成されるセルラ信号の既知構造との比較によって識別されるスペクトル構造、ｄ）既定のタイムスロットと、タイムスロット間隔とにまたがる信号の電力レベルというアップリンク・チャネルの信号の特性を検査することによって達成され、ｅ）随意で、ＣＤＭＡ、ＷＣＤＭＡが、サイトの制御チャネルのベース・シーケンスの相関器（ｃｏｒｒｅｌａｔｏｒ）によって識別される、ｆ）ＣＤＭＡ伝送の場合などの既知の伝送のアップリンク・レベルの統計を、実際のアップリンク・レベルとの比較に使用して、時間を通じて決定されるベース・レベルの外側の異常および異常な読取り値を検出することが可能である。そうした場合、正常なアップリンク・レベルから統計ヒストグラムを調製して、比較の基礎として使用することが可能である。非制限的な例では、正常に機能し動作するシステムのＣＤＭＡアップリンク・レベルを約１週間の期間にわたって測定し、そのデータから、この統計ヒストグラムを作成すること
が可能である。同様に、比較の追加の基礎または代替の基礎として、受信される種々の信号を周波数に従って分離し、ある期間の周波数領域に基づく第２のヒストグラムを作成することが可能である。さらに、アップリンク伝送のスペクトル特性をある期間にわたって測定及び保存し、その結果を使用して、後に受信される信号に対する比較の基礎を形成するスペクトル・ヒストグラムを作成することが可能である。
【００１８】
上述のように、電話会話またはデバイス間接続セッションなど、無線通信セッション中の許容可能な間隔と比較して、検出される各干渉信号の始めと終りの間の時間の長さに従い、干渉を識別することも可能である。例えば、無線通信伝送は無線通信セッション内の時間において１５分を超えないと言うことが可能である。したがって、この例によれば、信号伝送が１５分その他の所定の時間の長さを超えて存続する場合、その信号は干渉信号と判定される。信号の干渉固有特性の検査による結果の一部または全部は、重み付けられた値へと変換され、最終的な干渉固有結果値を生成する。最終的な結果は、アップリンク信号に干渉成分が含まれるか否かの判定に利用される。
【００１９】
図４をさらに参照する。特定のアンテナ・デバイスに関連する特定のエッジ・デバイスからのアップリンク信号は、スプリッタ・デバイス７２によって２つの同一の信号に分割される。第１の信号は、スペクトル解析および干渉エンベロープと適正な信号形態との比較を実行するために、第１のスプリッタ・デバイス７２からエンベロープ検出器７４へ供給される。この信号は、次に、ディジタル・フォーマットへの変換のために第３のＡ／Ｄデバイス７６へ供給される。その後、ディジタル信号は、適切な処理のため、ＤＳＰユニット９２へ、およびその後にＣＰＵ／マイクロプロセッサ９４へ供給される。第２の信号はダウンコンバータ・ユニット７８へ供給される。ユニット７８は、この信号を中間周波数へとダウンコンバートする。中間周波数信号はＩＦ  ＳＡＷフィルタ８０へ供給され、第２のスプリッタ・ユニット８２へ供給される。第２のスプリッタ・デバイス８２は、このＩＦ信号を２つの類似のＩＦ信号に分割する。第１のＩＦ信号は、エンベロープ検出器７４へ、およびその後に第１のＡ／Ｄユニットへ供給され、ディジタル・フォーマットに変換された結果、処理のためにＤＳＰ  ９２へ送られる。ディジタル信号は適当な処理のために、ＤＳＰ  ９２からＣＰＵ／マイクロプロセッサ９４へ供給される。第２のＩＦ信号は一組のＩＦ帯域通過フィルタ８６を介して供給され、マルチプレクサ８８によって多重化され、エンベロープ検出器７４へ供給され、その後、ディジタル・フォーマットへの変換のために第２のＡ／Ｄユニット９０へ供給される。このディジタル信号は処理のためにＤＳＰ  ９２へ供給される。この処理の結果はＤＳＰ  ９２からＣＰＵ  ９４へ送られる。ＤＳＰ  ９２およびＡ／Ｄ  ７６から受信される結果は、ＣＰＵ  ９４によって重み付けされ、結合される。ＣＰＵ  ９４によって利用される干渉検出の方法の判定に従って、ＣＰＵ  ９４はエッジ・ユニットに制御信号９５を送る。制御信号９５は、エッジ・ユニットに関連するアンテナを制御することにおいて動作する。したがって、この制御信号は、アンテナからの信号アップリンクの強度を減衰させる、アンテナをオフに切り替える、アンテナを再接続するなどの指令を表すことが可能である。
【００２０】
干渉を認識するために、さまざまなＳＡＷフィルタを使用して、スペクトル・アナライザが動作するのとほぼ同一の手法により、サンプリングされた信号のスペクトル形状を判定することが可能である。スペクトル形状は雑音信号の主要な特性であり、フーリエ変換など、ＤＳＰに関連する数学演算を、サンプリングされた信号に対して実行することにより判定することが可能である。この演算は、特定の周波数帯におけるエネルギ検出器としてダウンコンバータおよびＳＡＷフィルタを使用することにより、さらに実行可能である。したがって、ダウンコンバータは適当な周波数帯を判定および生成し、その信号をＳＡＷフィルタへ供給する。ＳＡＷフィルタの出力におけるエンベロープ・エネルギが、特定の周波数帯におけるスペクトル・エネルギである。
【００２１】
ここで図５を参照する。図５には、本発明の好適な一実施形態によるアップリンク結合無線信号中の干渉の検出に続いて実行されるステップの流れ図を示す。提示の装置がアップリンク無線信号中に干渉を検出したとき、次のステップを実行する。ステップ１０２にて、構内ネットワークを構成するアンテナの組全体から受信される結合された無線信号中の干渉の存在について検査するため、試験を実行する。ステップ１０４にて、結合された無線信号中に干渉成分が存在するか否かを判定する。結果が否定的である場合、結合された信号中の干渉を検出するため、ステップ１０２にて、さらなる試験を連続的かつ反復的に実行するか、または、所定回数、実行する。ステップ１０４の結果が肯定的である場合、ステップ１０６にて、構内システムを構成するアンテナの中から第１のアンテナを選択し、ステップ１０８にて、選択したアンテナからの信号強度を約５〜２５ｄＢだけ減衰させる。選択したアンテナの信号における減衰は、信号強度の所定の通常レベル、アンテナのタイプ、構内システムの構成、および、干渉の検出を可能とするような減衰の定常的な増加を可能とする他の類似の考慮事項に応じて変更可能である。このステップに関連して他の減衰レベル増加が使用可能であることを、当業者は理解するであろう。
【００２２】
図５をさらに参照する。ステップ１１０にて、選択したアンテナからの信号強度の減衰に続いて、結合された信号内の干渉の強度が同じ減衰値だけ減少したか否かを判定する。結果が否定的である場合、ステップ１１２にて、構内ネットワークに検査すべきアンテナがまだ存在するか否かを判定する。結果が肯定的である場合、ステップ１１４にて次のアンテナを選択し、構内ネットワークのアンテナごとに、ステップ１０８，１１０，１１２，１１４を反復する。ステップ１１０にて、選択したアンテナからの信号強度の減衰に続いて、干渉の強度が同じ減衰値だけ減少したと判定された場合、干渉成分を有する無線信号を送達するアンテナが発見される。したがって、干渉が所定の閾値未満になるまで、選択したアンテナの信号強度を反復的に減少させる。最後に、構内ネットワークおよび関連する室外ネットワーク全体にわたって干渉が広がらないようにするため、干渉を伝送するアンテナをオフに切り替え可能であることに留意されたい。
【００２３】
図５をさらに参照する。ステップ１１２にて、構内ネットワークの全ての単一のアンテナから受信される信号強度が選択的に減衰されたと判定された場合、干渉源は単一のアンテナにないと仮定することが可能である。したがって、随意で、ステップ１１６にて、所定のアンテナのグループを検査する。アンテナのグループには、構内ネットワークの構成に従って複数のアンテナを含めることが可能である。干渉成分を含む無線信号を送達するアンテナを検出するために、アンテナのグループを選択し、選択したアンテナのグループから受信される信号強度を約５〜２５ｄＢだけ減衰させる。結合された信号の干渉の強度がこれに従って減少した場合、干渉強度が所定の干渉閾値未満に減少するまで、選択したアンテナのグループによって生成される信号強度を減衰させる。選択したアンテナのグループからの信号強度の減衰に続いて干渉強度が減少されない場合、次のアンテナのグループを選択し、上述の処理を反復する。
【００２４】
干渉を生成するアンテナのグループが認識されない場合、干渉レベルが所定の干渉閾値未満に減少するまで、構内ネットワークを構成するアンテナの組全体の信号強度を減衰させる。これに代えて、干渉がもやは存在しないために干渉が認識されない場合、干渉レベルが所定の干渉閾値未満に減少するまで、構内ネットワークを構成するアンテナの組全体を減衰させる。
【００２５】
ここで図６を参照する。図６には、本発明の別の好適な実施形態によるアップリンク結合セルラ信号中の雑音の検出に続いて実行されるステップの流れ図を示す。提示の装置がアップリンク・セルラ信号中に干渉を検出したとき、次のステップを実行する。ステップ１２０にて、構内ネットワークを構成するアンテナの組全体から受信される結合されたセルラ信号中の干渉の存在について検査するため、試験を実行する。図５に関連して説明し
た実施形態と反対に、この実施形態では、干渉を発見すると、無線構内ネットワークの全てのアンテナを切断するか、または、より低い信号レベルまで減衰させる。次に、各アンテナまたはアンテナのグループを、干渉が検出されるまで、より高い信号レベルまで減衰させる。ステップ１２２にて、ＣＣＵ  １４は、結合された無線信号中に干渉成分が存在するか否かを判定する。結果が否定的である場合、結合された信号中の干渉を検出するため、ステップ１２０にて、さらなる試験を連続的かつ反復的に実行するか、または、所定の間隔で実行する。ステップ１０４の結果が肯定的である場合、ステップ１２３にて、影響を受ける無線サイトに関連する全てのアンテナ、即ち、構内システムにおける全てのアンテナを、切断するか、または、所定の低い信号レベルまで減衰させる。このステップにおける信号の減衰は、結合された信号が検出された干渉を含まず、干渉源の検出および干渉の除去を可能とするよう、各アンテナの信号レベルを減少させるように設計されている。ステップ１２４にて、構内システムを構成するアンテナの中から第１のアンテナを選択し、ステップ１２６にて、選択したアンテナからの信号強度を、オンに切り替えるか、アンテナの信号レベルが約５〜２５ｄＢだけ増えるように減衰させる。選択したアンテナの信号における減衰は、信号強度の所定の通常レベル、アンテナのタイプ、構内システムの構成、および干渉の検出を可能とするような減衰の定常的な増加を可能とする他の類似の考慮事項に応じて変更可能である。このステップに関連して他の減衰レベル増加が使用可能であることを、当業者は理解するであろう。
【００２６】
図６をさらに参照する。ステップ１２８にて、選択したアンテナからの信号強度の減衰に続いて、結合された信号内に干渉が現れるか否かを判定する。結果が否定的である場合、ステップ１３０にて、構内ネットワークに検査すべきアンテナがまだ存在するか否かを判定する。結果が肯定的である場合、ステップ１３２にて次のアンテナを選択し、構内ネットワークのアンテナごとに、ステップ１２６，１２８，１３０，１３２を反復する。ステップ１２８にて、信号強度の減衰に続いて干渉が検出される場合、干渉成分を有するセルラ信号を送達するアンテナが発見される。したがって、干渉が所定の閾値未満になるまで、選択したアンテナの信号強度を減少させる。最後に、構内ネットワークおよび関連する室外ネットワーク全体にわたって干渉が広がらないようにするため、干渉を送信するアンテナをオフに切り替え可能であることに留意されたい。
【００２７】
図６をさらに参照する。ステップ１３０にて、構内ネットワークの全ての単一のアンテナから受信される信号強度が選択的に減衰されたと判定された場合、干渉源は単一のアンテナにないと仮定することが可能である。したがって、随意で、ステップ１３４にて、所定のアンテナのグループを検査する。アンテナのグループには、構内ネットワークの構成に従って複数のアンテナを含めることが可能である。干渉成分を含むセルラ信号を送達するアンテナを検出するために、アンテナのグループを選択し、そのアンテナのグループ全体を無効化するか、または、所定のより低い信号レベルまで減衰させる。次に、約５〜２５ｄＢだけ信号強度レベルを増大することによって、選択したアンテナのグループから受信される信号強度を減衰させる。この減衰は、この組のアンテナの信号強度の通常レベルに達するまで、反復的に実行され得る。結合された信号の干渉の強度がこれに従って増大した場合、干渉強度が所定の干渉閾値未満に減少するまで、選択したアンテナのグループによって生成される信号強度を減衰させる。選択したアンテナのグループからの信号強度の減衰に続いて、干渉強度が増大しない場合、次のアンテナのグループを選択し、上述の処理を反復する。
【００２８】
干渉を生成するアンテナのグループが認識されない場合、構内ネットワークを構成するアンテナの組全体の信号強度は、図６に示すのと同じ手法により、干渉レベルが所定の干渉閾値未満に減少するまで検査される。
【００２９】
提示の装置およびその方法は、干渉源を動的に特定すること、および、干渉信号の制御
された減衰を介して干渉の分配を防止することによって、構内通信無線分配システムにおいて分配される無線信号内の認識される干渉成分に応答することに留意されたい。この装置および方法は、随意で、干渉成分を搬送する信号を生成しているアンテナをオフに切り替えることによって、潜在的な干渉源を動的に制御する。さらに、提示の装置および方法は、干渉が減少した場合、オフに切り替えたアンテナの再接続、および、信号強度の制御された回復のうちの１つ以上において動作する。
【００３０】
本明細書における信号に対する言及は主としてセルラ信号に対して行われたが、本発明が他の無線信号に対して同様に適用可能であることを当業者は理解するであろう。
【図面の簡単な説明】
【００３１】
【図１】本発明の好適な一実施形態による干渉検出および減少のシステムを示す概略図。
【図２】本発明の好適な一実施形態によるエッジ・ユニットを示す概略図。
【図３】本発明の好適な一実施形態による中央制御ユニットを示す概略図。
【図４】本発明の好適な一実施形態による干渉検出ユニットを示す概略図。
【図５】本発明の好適な一実施形態によるアップリンク結合無線信号中の雑音の検出に続いて実行されるステップを示す流れ図。
【図６】本発明の別の好適な実施形態によるアップリンク結合セルラ信号中の雑音の検出に続いて実行されるステップを示す流れ図。
【図１】
2007519267.tif 000003
【図２】
2007519267.tif 000004
【図３】
2007519267.tif 000005
【図４】
2007519267.tif 000006
【図５】
2007519267.tif 000007
【図６】
2007519267.tif 000008
【国際調査報告】
2007519267.tif 000009